【手続補正書】
【提出日】平成16年3月26日(2004.3.26)
【手続補正１】
【補正対象書類名】明細書
【補正対象項目名】０００５
【補正方法】変更
【補正の内容】
【０００５】
また、複数のインクジェットヘッドをハロゲン化銀写真感光材料の幅方向へ並べて処理液を供給する場合でも、インクジェットヘッドとインクジェットヘッドとの間で処理液が重なったり、離れたりして処理液の多い部分と少ない部分の供給ムラが生じることがある。このようにハロゲン化銀写真感光材料への処理液の供給にムラが生じると、これによってハロゲン化銀写真感光材料の処理ムラとなって画質が劣化する。


【手続補正２】
【補正対象書類名】明細書
【補正対象項目名】００４２
【補正方法】変更
【補正の内容】
【００４２】
この発明の処理液供給スピードは、処理液供給手段から感光材料に供給される処理液の１秒当たりの体積である。この発明では、迅速処理性の観点から、処理液供給スピードは０．０１ｍｌ／秒から２．５ｍｌ／秒が好ましく、より好ましくは０．１ｍｌ／秒〜１．０ｍｌ／秒である。


【手続補正３】
【補正対象書類名】明細書
【補正対象項目名】００４３
【補正方法】変更
【補正の内容】
【００４３】
また、オリフィスの処理液供給口と感光材料の乳剤面との距離は０．５ｍｍ以上３０ｍｍ以下が好ましいが、さらに１．５ｍｍ以上２０ｍｍ以下であることが好ましい。
（感材の加熱手段）
この発明のハロゲン化銀写真感光材料用自動現像機には感光材料を加熱する手段を有することが好ましい。加熱手段としては熱ドラム、熱べルト、ドライヤー、赤外線、高周波の電磁波などを用いる方法が挙げられる。感材は処理液が供給される前、された後など、いつ加熱されても良いが、処理の迅速性の観点から、処理液が供給される前に加熱されることが好ましい。加熱された感材の温度は３５℃以上が好ましく、さらに処理の迅速性の観点などから４０℃以上であることがより好ましい。また、感材の耐熱性などから１００℃以下であることが好ましく、さらに８０℃以下であることがより好ましい。処理される感材の乳剤面への悪影響を防止するために、感材は乳剤面とは逆の面から加熱されることが好ましい。
（処理工程）
この発明のハロゲン化銀写真感光材料用自動現像機は感材を処理液で処理する処理工程であればどの工程で用いられてもよいが、定着、安定工程など不要物を感材から除去する処理工程で用いるよりも、現像工程、発色現像工程、漂白工程など色素生成や酸化反応を起こす処理工程に用いられることが好ましい。これらの処理工程の中でも、現像工程、発色現像工程がより好ましく、さらに現像主薬の酸化によりタールが発生することなど保存性の観点から、発色現像工程が特に好ましい。
（処理液）
この発明で用いられる処理液とは、通常の処理液だけでなく、それ単独では処理反応を完了できない液も含み、感光材料の処理に寄与しうる成分を含有する溶液の全てを指し、単なる水も含む。ここで言う感光材料の処理に寄与しうる成分とは、例えば、発色現像主薬、アルカリ剤はもちろんのこと、界面活性剤など処理反応にあまり寄与しない成分も含む。


【手続補正４】
【補正対象書類名】明細書
【補正対象項目名】００４６
【補正方法】変更
【補正の内容】
【００４６】
この発明の処理液には、下記一般式［Ｉ］、又は［ＳＩ］、又は［ＳII］、又は［ＳIII］で示される化合物、少なくとも１種を含有することが好ましい。


【手続補正５】
【補正対象書類名】明細書
【補正対象項目名】００４９
【補正方法】変更
【補正の内容】
【００４９】
【化２】
2001166448.tif 000001
等が挙げられ、Ｙはアルキレンオキサイド基、アルキレン基等が挙げられる。Ｒｆ′は少なくとも１つのフッ素原子を含有する飽和、又は不飽和の炭化水素基を表す。更にＡは−ＳＯ3Ｍ、−ＯＳＯ3Ｍ、−ＣＯＯＭ、−ＯＰＯ3（Ｍ1）（Ｍ２）、−ＰＯ3（Ｍ1）（Ｍ2）等の親水基を表し、好ましくは−ＳＯ3Ｍが挙げられる。Ｍ、Ｍ1、Ｍ2はＨ、Ｌｉ、Ｋ、Ｎａ又はＮＨ4を表し、好ましくはＬｉ、Ｋ、Ｎａ、最も好ましくはＬｉである。ｍは０又は１、ｎは０又は１〜１０の整数を表し、好ましくはｍ＝０、ｎ＝０である。


【手続補正６】
【補正対象書類名】明細書
【補正対象項目名】００５７
【補正方法】変更
【補正の内容】
【００５７】
【化６】
2001166448.tif 000002
を表す（但し、ｎ1、ｍ1及びｌ1はそれぞれ０、１、２又は３を表す。）。ｍ及びｎは０〜１００の整数を表す。Ｘ1は水素原子又はアルキル基、アラルキル基、アリール基であり、例えばＡ2で説明した基が挙げられる。


【手続補正７】
【補正対象書類名】明細書
【補正対象項目名】００５９
【補正方法】変更
【補正の内容】
【００５９】
【化８】
2001166448.tif 000003
上記一般式［Ｉ］で表される化合物のうち、最も好ましいものは、（Ｉ−１）、（Ｉ−２）、（Ｉ−４）、（Ｉ−８）で表される化合物である。


【手続補正８】
【補正対象書類名】明細書
【補正対象項目名】００６０
【補正方法】変更
【補正の内容】
【００６０】
これら化合物は通常の方法で合成でき、市販品としても入手できる。
（一般式［ＳＩ］で表される化合物）


【手続補正９】
【補正対象書類名】明細書
【補正対象項目名】００６６
【補正方法】変更
【補正の内容】
【００６６】
また、この発明のハロゲン化銀写真感光材料用自動現像機は処理液供給手段からの処理液供給量が感光材料１ｍ2当たり１０ｍｌ／ｍ2〜２００ｍｌ／ｍ2であることが好ましく、さらには１５ｍｌ／ｍ2〜１００ｍｌ／ｍ2であることが処理液供給後の感光材料の乳剤面の液だれ防止の観点から好ましい。


【手続補正１０】
【補正対象書類名】明細書
【補正対象項目名】００７２
【補正方法】変更
【補正の内容】
【００７２】
図１はハロゲン化銀写真感光材料用自動現像機の概略構成を示す図である。ハロゲン化銀写真感光材料用自動現像機１には、感光材料装填部２、裁断部３、露光部４、現像処理部５、漂白処理部６、定着処理部７、安定処理部８及び乾燥部９が配置されている。感光材料装填部２には、ハロゲン化銀写真感光材料Ｐを収納したペーパーマガジン１０が装填される。このペーパーマガジン１０から送出されるハロゲン化銀感光材料Ｐは、裁断部３でカッター１１により所定長さにカットされる。このハロゲン化銀感光材料Ｐは露光部４に送られ、この露光部４では露光によりハロゲン化銀感光材料Ｐに潜像が形成される。


【手続補正１１】
【補正対象書類名】明細書
【補正対象項目名】００７７
【補正方法】変更
【補正の内容】
【００７７】
制御弁２４は、加圧された処理液の流路の開閉を制御する弁であり、電気信号によって閉開を繰り返して、開いたときに、オリフィス２５ａから処理液を噴射させるものである。制御弁２４は、一定圧に耐えられるものであればよい。具体的には、微細な孔を塞ぐことと開放することで、弁の開閉とするのが好ましい。制御弁２４の制御はパルス波で行われ、開閉回数は一秒間に１０回から１０００回が好ましい。


【手続補正１２】
【補正対象書類名】明細書
【補正対象項目名】００８４
【補正方法】変更
【補正の内容】
【００８４】
また、平滑ローラ５０は図４（ｂ）に示すように、ノズル２５から供給される処理液を受ける位置に配置され、この平滑ローラ５０に供給される処理液が平滑ローラ５０により平滑にされながらハロゲン化銀写真感光材料Ｐに供給され、さらに先に供給されている処理液を平滑にし、処理液によるハロゲン化銀写真感光材料の処理が進まないうちに処理液を平滑にする。このように平滑ローラ５０による簡単な構造でハロゲン化銀写真感光材料Ｐ上の処理液を平滑にして処理ムラを防止することができる。


【手続補正１３】
【補正対象書類名】明細書
【補正対象項目名】００８７
【補正方法】変更
【補正の内容】
【００８７】
また、平滑ブレード５１は図５（ｂ）に示すように、ノズル２５から供給される処理液を受ける位置に配置され、この平滑ブレード５１に供給される処理液が平滑ブレード５１により平滑にされながらハロゲン化銀写真感光材料Ｐに供給され、処理液によるハロゲン化銀写真感光材料の処理が進まないうちに処理液を平滑にすることができる。この平滑ブレード５１の搬送されるハロゲン化銀写真感光材料Ｐに対する搬送方向との成す取り付け角度θは特に限定されないが、供給される処理液の少なくとも一部が当たるようであればよい。また、平滑ブレード５１はハロゲン化銀写真感光材料Ｐの幅より軸方向に長く形成され、平滑ブレード５１の材質は特に限定されず、処理液が当たる部分は平面性の良いものが好ましい。このように平滑ブレード５１による簡単な構造でハロゲン化銀写真感光材料Ｐ上の処理液を平滑にして処理ムラを防止することができる。


【手続補正１４】
【補正対象書類名】明細書
【補正対象項目名】００８８
【補正方法】変更
【補正の内容】
【００８８】
図６の実施の形態では、平滑化手段Ａは、ハロゲン化銀写真感光材料Ｐに供給された処理液に空気を吹き付けて平滑にする平滑エアノズル５２であり、この平滑エアノズル５２は図６に示すように、ノズル２５の後段に近接して配置することが好ましく、処理液によるハロゲン化銀写真感光材料Ｐの処理が進まないうちに処理液を平滑にすることができる。


【手続補正１５】
【補正対象書類名】明細書
【補正対象項目名】００９１
【補正方法】変更
【補正の内容】
【００９１】
図７の実施の形態では、スクイズ手段Ｂは、ハロゲン化銀写真感光材料Ｐに供給された処理液に接触して除去するスクイズローラ６０であり、このスクイズローラ６０は次の処理工程の前段に配置され、次の処理工程で処理液が供給される以前に、前段の処理工程でハロゲン化銀写真感光材料Ｐに供給されていた処理液を除去する。このようにスクイズローラ６０による簡単な構造で処理液が供給される以前に、ハロゲン化銀写真感光材料に供給されていた処理液を除去することで処理後に残る処理液が新たな処理液との混合を防止し、処理性能を向上させることができる。なお、この実施の形態では、前段の処理工程に図４乃至図６に示すような平滑化手段Ａを設けていないが、同様に平滑化手段Ａを設けてもよい。


【手続補正１６】
【補正対象書類名】明細書
【補正対象項目名】００９３
【補正方法】変更
【補正の内容】
【００９３】
このスクイズブレード６１は次の処理工程の前段に配置され、次の処理工程で処理液が供給される以前に、前段の処理工程でハロゲン化銀写真感光材料Ｐに供給されていた処理液を除去する。このようにスクイズブレード６１による簡単な構造で処理液が供給される以前に、ハロゲン化銀写真感光材料Ｐに供給されていた処理液を除去することで処理後に残る処理液が新たな処理液と混合を防止し、処理性能を向上させることができる。


【手続補正１７】
【補正対象書類名】明細書
【補正対象項目名】０１０５
【補正方法】変更
【補正の内容】
【０１０５】
請求項１０に記載の発明では、第２の処理工程及び第３の処理工程で、処理液を平滑にし処理ムラを防止し、かつ処理後に残る処理液をスクイズすることで新たな処理液との混合を防止し処理液の処理性能を向上させることができる。


【手続補正１８】
【補正対象書類名】図面
【補正対象項目名】図２
【補正方法】変更
【補正の内容】
【図２】
2001166448.tif 000004
【手続補正１９】
【補正対象書類名】図面
【補正対象項目名】図５
【補正方法】変更
【補正の内容】
【図５】
2001166448.tif 000005